(57)【要約】【課題】ユーザにとって不都合となることなく、ユーザから指定された検索場所の範囲を車両の現在位置、及び現在位置から目的地までの距離に応じて変更する。【解決手段】サービス制御部１２は検索範囲Ｒを、現在位置Ｓ（ｘ，ｙ）から中心座標Ｘ（ｘ，ｙ）を経由して目的地Ｄ（ｘ，ｙ）に至る距離Ｄにおいて、中心座標Ｘ（ｘ，ｙ）が現在位置Ｓ（ｘ，ｙ）より近い場合（Ｄ＜Ｄ１）には、Ｒがその距離Ｔsに正比例して所定値Ｒ１から所定値Ｒ２（Ｒ１＜Ｒ２）になるように求める。また、中心座標Ｘ（ｘ，ｙ）が現在位置Ｓ（ｘ，ｙ）より遠いが、目的地Ｄ（ｘ，ｙ）には近くない場合（Ｄ１＜Ｄ＜Ｄ２）にはＲ＝所定値Ｒ２となるように求める、さらに、中心座標Ｘ（ｘ，ｙ）が目的地Ｄ（ｘ，ｙ）に近い場合（Ｒ２＜Ｄ）には、Ｒが中心座標Ｘ（ｘ，ｙ）から目的地Ｄ（ｘ，ｙ）までの距離Ｔdに比例して、所定値Ｒ２から所定値Ｒ３（Ｒ２＞Ｒ３）になるように求める。【選択図】図３
2008241262.tif 000002
【特許請求の範囲】
【請求項１】
位置情報付きコンテンツを配信するコンテンツ配信装置から、車載情報提供装置が現在位置から目的地までの経路付近の前記位置情報付きコンテンツを検索する位置情報付きコンテンツ検索システムにおいて、
前記車載情報提供装置は、
前記位置情報付きコンテンツの検索範囲を入力する入力手段と、
前記現在位置から目的地までの経路上であって、前記入力した検索範囲の中心座標を算出する手段と、
前記現在位置から前記算出した中心座標までの第１の距離と、前記算出した中心座標から前記目的地までの第２の距離を算出する手段と、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更する手段と、
前記変更した検索範囲の前記位置情報付きコンテンツの送信要求を前記コンテンツ配信装置に送信する手段とを備え、
前記コンテンツ配信装置は、
前記変更した検索範囲の前記位置情報付きコンテンツを検索して前記車載情報提供装置に送信する手段を備え、
前記車載情報提供装置は、
前記コンテンツ配信装置から送信された前記位置情報付きコンテンツを受信して乗員に提示する手段を、
備えたことを特徴とする位置情報付きコンテンツ検索システム。
【請求項２】
位置情報付きコンテンツを配信するコンテンツ配信装置から、現在位置から目的地までの経路付近の前記位置情報付きコンテンツを検索する車載情報提供装置において、
前記位置情報付きコンテンツの検索範囲を入力する入力手段と、
前記現在位置から目的地までの経路上であって、前記入力した検索範囲の中心座標を算出する手段と、
前記現在位置から前記算出した中心座標までの第１の距離と、前記算出した中心座標から前記目的地までの第２の距離を算出する手段と、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更する手段と、
前記変更した検索範囲の前記位置情報付きコンテンツの送信要求を前記コンテンツ配信装置に送信する手段と、
前記コンテンツ配信装置から送信された前記位置情報付きコンテンツを受信して乗員に提示する手段とを、
備えたことを特徴とする車載情報提供装置。
【請求項３】
位置情報付きコンテンツを配信するコンテンツ配信装置から、現在位置から目的地までの経路付近の前記位置情報付きコンテンツを検索する車載情報提供装置のコンピュータプログラムにおいて、
前記位置情報付きコンテンツの検索範囲を入力する入力ステップと、
前記現在位置から目的地までの経路上であって、前記入力した検索範囲の中心座標を算出するステップと、
前記現在位置から前記算出した中心座標までの第１の距離と、前記算出した中心座標から前記目的地までの第２の距離を算出するステップと、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更するステップと、
前記変更した検索範囲の前記位置情報付きコンテンツの送信要求を前記コンテンツ配信装置に送信するステップと、
前記コンテンツ配信装置から送信された前記位置情報付きコンテンツを受信して乗員に提示するステップとを、
コンピュータに実行させるコンピュータプログラム。
【発明の詳細な説明】
【技術分野】
【０００１】
本発明は、位置情報付きコンテンツを配信するコンテンツ配信装置から、車載情報提供装置が現在位置から目的地までの経路付近の位置情報付きコンテンツを検索する位置情報付きコンテンツ検索システムに関する。
また本発明は、車載情報提供装置及びコンピュータプログラムに関する。
【背景技術】
【０００２】
目的地、及び現在位置から目的地までの経路付近の位置情報付きコンテンツを検索するサービスは既に提案されており、また実際にサービス化されているものもある。ここで、位置情報付きコンテンツとは、静止画像、動画像、ウェブコンテンツ（webページ、テキストブログ、音声ブログ、ポットキャスト）等のコンテンツに位置情報を付加したコンテンツのことを指す。現在位置とはドライバが現在走っている地点のことを指し、目的地とは、ドライバによって設定された目的地、もしくはナビゲーション装置によって自動的に設定された目的地を指す。乗員はドライバ及び同乗者を指す。
【０００３】
例えば下記の特許文献１では、車両の移動中においてユーザの指定する範囲内の所望の位置情報付きのコンテンツをリアルタイムで実現するための仕組みについて提案されている。この従来例では、あらかじめ位置情報に関連付きけられた位置情報付きのコンテンツに対し、車両がその位置情報付きのコンテンツのサービス範囲内に近づいたときに、位置情報付きのコンテンツをインターネットや携帯電話網を通じてモバイルパソコンに返信する手法について記載されている。また、下記の特許文献２では、検索されたコンテンツに対し、経路上である場合はそのコンテンツをサーバ側から受信し提示する手法について記載されている。
【０００４】
また、近年の通信連動型カーナビゲーションサービスは、経路付近に関連するインターネット上のブログを画像、音声によって提示するサービスを提供している。このサービスの特長としては、ブログ中の文章の中に含まれる住所やランドマーク名、電話番号からコンテンツの位置情報を導出している点である。この結果、あらかじめ位置情報を持たないコンテンツに対しても車両の位置、経路に依存した情報の提示を実現している。このように、位置情報付きのコンテンツを車両上で提示するサービスが提案・開発されるようになってきた背景の一因に、位置情報を扱うために必要なハードウェア技術、ソフトウェア技術の両方の進歩が挙げられる。
【０００５】
また、例えば下記の特許文献３において、写真の位置情報を記録することが可能なデジタルカメラが提案されている。また、Exif規格2.1に撮影時の位置情報を記録する為のGPS IFDの定義化がされたことにより、jpg、tiff等の画像フォーマットに位置情報を付加することが可能となった。また、これら位置情報に対応付けられた画像を閲覧するためのサービスとして、例えば写真共有サイト「flickr」の位置連動型写真共有サイト（http://www.flickr.com/map/）等が実用化された。しかしながら、車内から位置情報付き画像コンテンツを検索・閲覧するサービスはまだ十分な普及はしていない。その理由としては提示するコンテンツの内容がユーザのドライブの目的や、ユーザの興味などを考慮しないため、ドライバの満足度を満たすことができないなどがあげられる。
【特許文献１】特開２００２−２１３９７７号公報（要約書）
【特許文献２】特開２００４−３１７４４７号公報（要約書）
【特許文献３】特開平８−１２９２１６号公報（要約書）
【発明の開示】
【発明が解決しようとする課題】
【０００６】
しかしながら、従来の位置情報付きコンテンツ検索システムでは、車載装置から現在位置から目的地までの経路付近の位置情報付きコンテンツを検索した場合、検索範囲としてユーザによってあらかじめ指定された距離の範囲内を一義的に使用するので、車両の現在位置、目的地に関係なく、指定された検索範囲に基づき位置情報付きコンテンツを検索する。このため、仮に検索したコンテンツの場所にドライバが立ち寄ったとき、最終的な目的地までの時間、距離、経済、環境的コストが高くなる場合が発生するという問題があった。図７はその課題を示す図であり、推薦場所１、２は現在位置Ｓから目的地Ｄまでの経路Ｐ１から所定範囲内で検出された位置を示す。推薦場所１は現在位置Ｓから後戻りする位置であるので大きく遠回りになり（図の経路Ｐ２、Ｐ３）、ユーザにとって不都合である。これに対し、推薦場所２は現在位置Ｓから目的地Ｄまでの経路Ｐ１を外れても、やや遠回りになるが目的地Ｄには向かっているので（図の経路Ｐ４、Ｐ５）、ユーザにとっては不都合とは言えない。
【０００７】
本発明は上記従来例の問題点に鑑み、ユーザにとって不都合となることなく、ユーザから指定された検索場所の範囲を車両の現在位置、及び現在位置から目的地までの距離に応じて変更することができる位置情報付きコンテンツ検索システム及び車載情報提供装置並びにコンピュータプログラムを提供することを目的とする。
【課題を解決するための手段】
【０００８】
本発明は上記目的を達成するために、位置情報付きコンテンツを配信するコンテンツ配信装置から、車載情報提供装置が現在位置から目的地までの経路付近の前記位置情報付きコンテンツを検索する位置情報付きコンテンツ検索システムにおいて、
前記車載情報提供装置は、
前記位置情報付きコンテンツの検索範囲を入力する入力手段と、
前記現在位置から目的地までの経路上であって、前記入力した検索範囲の中心座標を算出する手段と、
前記現在位置から前記算出した中心座標までの第１の距離と、前記算出した中心座標から前記目的地までの第２の距離を算出する手段と、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更する手段と、
前記変更した検索範囲の前記位置情報付きコンテンツの送信要求を前記コンテンツ配信装置に送信する手段とを備え、
前記コンテンツ配信装置は、
前記変更した検索範囲の前記位置情報付きコンテンツを検索して前記車載情報提供装置に送信する手段を備え、
前記車載情報提供装置は、
前記コンテンツ配信装置から送信された前記位置情報付きコンテンツを受信して乗員に提示する手段を、
備えたことを特徴とする。
【０００９】
また、本発明は上記目的を達成するために、位置情報付きコンテンツを配信するコンテンツ配信装置から、現在位置から目的地までの経路付近の前記位置情報付きコンテンツを検索する車載情報提供装置において、
前記位置情報付きコンテンツの検索範囲を入力する入力手段と、
前記現在位置から目的地までの経路上であって、前記入力した検索範囲の中心座標を算出する手段と、
前記現在位置から前記算出した中心座標までの第１の距離と、前記算出した中心座標から前記目的地までの第２の距離を算出する手段と、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更する手段と、
前記変更した検索範囲の前記位置情報付きコンテンツの送信要求を前記コンテンツ配信装置に送信する手段と、
前記コンテンツ配信装置から送信された前記位置情報付きコンテンツを受信して乗員に提示する手段とを、
備えたことを特徴とする。
【００１０】
また、本発明は上記目的を達成するために、位置情報付きコンテンツを配信するコンテンツ配信装置から、現在位置から目的地までの経路付近の前記位置情報付きコンテンツを検索する車載情報提供装置のコンピュータプログラムにおいて、
前記位置情報付きコンテンツの検索範囲を入力する入力ステップと、
前記現在位置から目的地までの経路上であって、前記入力した検索範囲の中心座標を算出するステップと、
前記現在位置から前記算出した中心座標までの第１の距離と、前記算出した中心座標から前記目的地までの第２の距離を算出するステップと、
前記算出した第１の距離が所定距離より短い場合に前記位置情報付きコンテンツの検索範囲を前記入力した検索範囲より小さく変更し、前記算出した第１の距離が前記所定距離より長い場合に前記位置情報付きコンテンツの検索範囲を前記入力した検索範囲より広く変更するとともに、前記算出した第２の距離が所定距離より短い場合に前記位置情報付きコンテンツの検索範囲を前記入力した検索範囲より小さく変更するステップと、
前記変更した検索範囲の前記位置情報付きコンテンツの送信要求を前記コンテンツ配信装置に送信するステップと、
前記コンテンツ配信装置から送信された前記位置情報付きコンテンツを受信して乗員に提示するステップとを、
コンピュータに実行させる。
【００１１】
この構成により、現在位置から入力検索範囲の中心座標までの第１の距離と、入力検索範囲の中心座標から目的地までの第２の距離を算出して、第１の距離が短い場合に入力検索範囲を小さく変更し、第１の距離が長い場合に入力検索範囲を広く変更し、さらに第２の距離が短い場合に入力検索範囲を小さく変更するので、ユーザにとって不都合となることなく、ユーザから指定された検索場所の範囲を車両の現在位置、及び現在位置から目的地までの距離に応じて変更することができる。
【発明の効果】
【００１２】
本発明によれば、ユーザにとって不都合となることなく、ユーザから指定された検索場所の範囲を車両の現在位置、及び現在位置から目的地までの距離に応じて変更することができる。このため、
・ドライバの立場から見た場合、ドライバの時間、距離、経済、環境的コストの軽減化が可能となる。
・サービス提供者の立場から見た場合、旧来のシステムと比較して、配信コンテンツの量が少なくなることから、システムへの負荷、ネットワークの負荷の軽減化が可能となる。
【発明を実施するための最良の形態】
【００１３】
以下、図面を参照して本発明の実施の形態について説明する。図１は本発明に係る位置情報付きコンテンツ検索システム及び車載情報提供装置の第１の実施の形態を示すブロック図である。
【００１４】
図１において、車載情報提供装置１０はコンテンツ配信要求をコンテンツ配信装置２０に対して、インターネット／携帯電話網３０、データ受信／送信装置３０（データ受信／送信部３１）を経由して送信し、この要求に応答してコンテンツ配信装置２０から配信されたコンテンツを受信して乗員（ドライバ／同乗者）４０に提示する。車載情報提供装置１０はデータ受信／送信装置１１（データ受信／送信部１１ａ）と、サービス制御部１２と、車両情報データベース１３と、ユーザインタフェース１４（コンテンツ提示部１４ａ、ユーザ指示入力部１４ｂ）を有する。
【００１５】
サービス制御部１２は車両情報データベース１３に記憶されている車両位置１３ａ、経路１３ｂなどの車両情報と、サービス設定情報１６、ドライバ状態１７などに基づいて後述するような制御を行う。経路情報１３ｂとは、現在位置Ｓ（ｘ，ｙ）から、乗員４０が設定した目的地Ｄ（ｘ，ｙ）までの経路である。コンテンツ提示部１４ａは乗員４０に対して、画像コンテンツを表示する表示部と、音声コンテンツを再生するオーディオ再生装置などを有する。ユーザ指示入力部１４ｂはメカニカルキー、タッチパネル、音声認識装置などにより構成される。コンテンツ配信装置２０は配信コンテンツ検索部２１と位置情報付きコンテンツＤＢ（データベース）２２を有し、位置情報付きコンテンツＤＢ２２には、ブログ２２ａ、動画２２ｂ、画像２２ｃ、テキスト２２ｄなどの位置情報付きコンテンツが記録されている。
【００１６】
次に、図２（及び図３、図４）を参照して動作を説明する。ここで、既に目的地Ｄ（ｘ，ｙ）は登録され、目的地Ｄ（ｘ，ｙ）までの経路は決定されているものとする。決定されていない場合は、経路を設定する。設定方法は、ドライバに目的地を入力させる方法と、目的地をシステム側で推定する方法の二種類がある。
ステップＳ１：乗員４０から位置情報付きコンテンツ検索範囲をユーザインタフェース１４（マイク、ナビ画面等）経由で受け付ける。入力情報としては、以下のケース等が想定される。
・場所情報（キーワードの例：地名、到着地周辺）
・時間情報（キーワードの例：１時間後、２時間後にいそうな場所）等
ステップＳ２：サービス制御部１２では、上記情報及び経路情報１３ｂを元に、位置情報付きコンテンツの検索範囲（以下検索範囲）の中心座標Ｘ（ｘ，ｙ）を求める。中心座標Ｘ（ｘ，ｙ）は目的地Ｄ（ｘ，ｙ）までの経路上の位置である。
【００１７】
ステップＳ３：サービス制御部１２では、検索範囲の中心座標Ｘ（ｘ，ｙ）から現在位置Ｓ（ｘ，ｙ）までの距離Ｔs、中心座標Ｘ（ｘ，ｙ）から目的地Ｄ（ｘ，ｙ）までの距
離Ｔdを求める。
ステップＳ４：サービス制御部１２では検索範囲Ｒを図３に示すように、現在位置Ｓ（ｘ，ｙ）から中心座標Ｘ（ｘ，ｙ）を経由して目的地Ｄ（ｘ，ｙ）に至る距離Ｄにおいて、中心座標Ｘ（ｘ，ｙ）が現在位置Ｓ（ｘ，ｙ）より近い場合（Ｄ＜Ｄ１）には、Ｒがその距離Ｔsに正比例して所定値Ｒ１から所定値Ｒ２（Ｒ１＜Ｒ２）になるように求める。また、中心座標Ｘ（ｘ，ｙ）が現在位置Ｓ（ｘ，ｙ）より遠いが、目的地Ｄ（ｘ，ｙ）には近くない場合（Ｄ１＜Ｄ＜Ｄ２）にはＲ＝所定値Ｒ２となるように求める、さらに、中心座標Ｘ（ｘ，ｙ）が目的地Ｄ（ｘ，ｙ）に近い場合（Ｒ２＜Ｄ）には、Ｒが中心座標Ｘ（ｘ，ｙ）から目的地Ｄ（ｘ，ｙ）までの距離Ｔdに比例して、所定値Ｒ２から所定値Ｒ３（Ｒ２＞Ｒ３）になるように求める。このため、図３に示すように現在位置Ｓに近い検索範囲Ｒ１（半径ｒ１）は狭く、現在位置Ｓから遠いが目的地Ｄには近くない検索範囲Ｒ２（半径ｒ２）は広く、目的地Ｄに近い検索範囲Ｒ３（半径ｒ３）は狭くなる。
【００１８】
ステップＳ５：中心座標Ｘ（ｘ，ｙ）, 検索範囲Ｒ、サービス設定パラメータＰ（検索用メタ情報）を車載情報提供装置１０から位置情報付きコンテンツ配信装置２０へ送信する。
ステップＳ６：位置情報付きコンテンツ配信装置２０の配信コンテンツ検索部２１は、検索中心座標Ｘ（ｘ，ｙ）、検索範囲Ｒ、サービス設定パラメータＰに基づき、位置情報付きコンテンツを位置情報コンテンツＤＢ２２から検索する。配信コンテンツ検索部２１は、検索範囲中にコンテンツがない場合は自動的に検索範囲を拡大するロジックを有する。
ステップＳ７：位置情報付きコンテンツ配信装置２０は、検索した位置情報付きコンテンツを車載情報提供装置１０へ送信する。
ステップＳ８：車載情報提供装置１０のサービス制御部１２では、受け取ったコンテンツ情報、ドライバの嗜好情報、及びサービス設定内容にあわせ、コンテンツを提示する。
【００１９】
ここで、検索範囲の中心座標Ｘ（ｘ，ｙ）から現在位置Ｓ（ｘ，ｙ）までの距離Tsを現在位置Ｓ（ｘ，ｙ）と検索中心位置Ｘ（ｘ，ｙ）そのものから求めたが、出発地と検索中心位置（ｘ，ｙ）から求めるようにしてもよい。現在地を出発地とした場合、中心位置の推定方法も変化する。また、経路１３ｂ、及び目的地Ｄ（ｘ，ｙ）はドライバが手動で設定したものだけではなく、システムが自動的に推定した場合も含む。さらに、Tdを距離としたが、Tdを時間やコストと代替する手法もある。コストとは、時間的なコスト、金銭的なコスト、燃費的なコスト、環境的なコストを含む。
【００２０】
また、位置情報付きコンテンツの検索先を路側のコンテンツ配信装置のみならず、インターネット上のコンテンツ、また、車に搭載されたコンテンツＤＢなどからコンテンツを検索するようにしてもよい。この場合のシステム構成図を図５に示す。車載情報提供装置１０には、位置情報付きコンテンツＤＢ１８が追加され、ＤＢ１８にはコンテンツ配信装置２０側のＤＢ２２のブログ２２ａ、動画２２ｂ、画像２２ｃ、テキスト２２ｄがダウンロードされて、キャッシュとしてブログ１８ａ、動画１８ｂ、画像１８ｃ、テキスト１８ｄが記録されている。なお、ＤＢ１８には、キャッシュとして記録する代わりに、コンテンツ配信装置１０のDB２２の中に格納されているコンテンツの場所、及びそのコンテンツが指し示す位置情報をインデックスとして記録するようにしてもよい。
【００２１】
図６を参照して、図５に示すシステムの通信シーケンスを説明する。
（１）乗員４０がユーザ指示入力部１４ｂに対して、コンテンツの検索範囲（場所情報または時間情報）を指定すると、
（２）ユーザ指示入力部１４ｂがサービス制御部１２に対して、その入力情報（場所情報または時間情報）を転送する。
（３）サービス制御部１２は検索場所（場所情報または時間情報）を算出し、
（４）サービス制御部１２はまた、図２に示すように検索範囲（検索中心座標、目的地座標、現在位置座標）を算出する。
【００２２】
（５）サービス制御部１２はこの検索範囲をデータ受信／送信装置１１に送信し、
（６）データ受信/送信装置１１はこの検索範囲をデータ受信／送信装置３０に送信し、
（７）データ受信/送信装置３０はこの検索範囲を配信コンテンツ検索部２１に送信する。
（８）配信コンテンツ検索部２１は位置情報付きコンテンツＤＢ２２から、この検索範囲内のコンテンツを検索し、
（９）配信コンテンツ検索部２１は、この検索した位置情報付きコンテンツを入手し、
（１０）配信コンテンツ検索部２１は、この入手した位置情報付きコンテンツをデータ受信／送信装置３０に送信する。
（１１）データ受信／送信装置３０はこの位置情報付きコンテンツをデータ受信／送信装置１１に送信し、
（１２）データ受信／送信装置１１はこの位置情報付きコンテンツをサービス制御部１２に送信する。
【００２３】
（１３）サービス制御部１２はこの位置情報付きコンテンツを位置情報付きコンテンツＤＢ１８にキャッシュとして格納し、
（１４）サービス制御部１２はこの位置情報付きコンテンツを入手するために位置情報付きコンテンツＤＢ１８にアクセスし、
（１５）サービス制御部１２はこの位置情報付きコンテンツを位置情報付きコンテンツＤＢ１８から入手し、
（１６）サービス制御部１２はこの位置情報付きコンテンツをユーザインタフェース１４であるコンテンツ提示部１４ａに送信する。
（１７）コンテンツ提示部１４ａはこの位置情報付きコンテンツを乗員４０に提示する。
【産業上の利用可能性】
【００２４】
本発明は、ユーザにとって不都合となることなく、ユーザから指定された検索場所の範囲を車両の現在位置、及び現在位置から目的地までの距離に応じて変更することができるという効果を有し、カーナビゲーション装置などに利用することができる。
【図面の簡単な説明】
【００２５】
【図１】本発明に係る位置情報付きコンテンツ検索システム及び車載情報提供装置の第１の実施の形態を示すブロック図である。
【図２】図１のコンテンツ検索システム及び車載情報提供装置のコンピュータプログラムを説明するためのフローチャートである。
【図３】図２における検索範囲変更処理を説明するためのフローチャートである。
【図４】図２及び図３における検索範囲変更処理を示す説明図である。
【図５】図１の位置情報付きコンテンツ検索システム及び車載情報提供装置の変形例を示すブロック図である。
【図６】図５に示すシステムの通信シーケンスを示す説明図である。
【図７】従来の検索結果を示す説明図である。
【符号の説明】
【００２６】
１０  車載情報提供装置
１２  サービス制御部
１３  車両情報データベース
１４  ユーザインタフェース
１４ａ  コンテンツ提示部
１４ｂ  ユーザ指示入力部
１５  ユーザインタフェース
２０  コンテンツ配信装置
２１  配信コンテンツ検索部
２２  位置情報付きコンテンツＤＢ
３０  インターネット／携帯電話網
４０  乗員（ドライバ／同乗者）
【図１】
2008241262.tif 000003
【図２】
2008241262.tif 000004
【図３】
2008241262.tif 000005
【図４】
2008241262.tif 000006
【図５】
2008241262.tif 000007
【図６】
2008241262.tif 000008
【図７】
2008241262.tif 000009